(57)【特許請求の範囲】
【請求項１】
複数の信号が多重化されている多重化信号から、プリアンブル信号を検出する検出部と、
前記多重化信号から所定の信号を復調する復調部と、
前記検出部により検出された前記プリアンプル信号に含まれる前記複数の信号をそれぞれ判別するための判別情報が、NGHフレームであると解釈される場合、T2フレームであるとの解釈に変更し、前記判別情報からT2フレームであると解釈される場合、FEFであるとの解釈に変更する変更部と、
前記変更部により変更された解釈に基づき、前記T2フレームであることを示す場合、前記復調部による復調を継続し、前記FEFであることを示す場合、前記復調部による復調を停止させる制御部と
を備える信号処理装置。
【請求項２】
T2フレームを処理するモードか、NGHフレームを処理するモードかのどちらかが設定され、
前記T2フレームを処理するモードである場合、前記変更部による解釈の変更処理は行われず、前記NGHフレームを処理するモードである場合、前記変更部による解釈の変更処理は行われる
請求項１に記載の信号処理装置。
【請求項３】
前記T2フレームを処理するモードは、受信状態が良い場合に設定され、前記NGHフレームを処理するモードは、受信状態が悪い場合に設定される
請求項２に記載の信号処理装置。
【請求項４】
複数の信号が多重化されている多重化信号から、プリアンブル信号を検出し、
前記多重化信号から所定の信号を復調し、
検出された前記プリアンプル信号に含まれる前記複数の信号をそれぞれ判別するための判別情報が、NGHフレームであると解釈される場合、T2フレームであるとの解釈に変更し、前記判別情報からT2フレームであると解釈される場合、FEFであるとの解釈に変更し、
変更された解釈に基づき、前記T2フレームであることを示す場合、前記復調部による復調を継続し、前記FEFであることを示す場合、前記復調部による復調を停止させる
ステップを含む信号処理方法。
【請求項５】
複数の信号が多重化されている多重化信号から、プリアンブル信号を検出し、
前記多重化信号から所定の信号を復調し、
検出された前記プリアンプル信号に含まれる前記複数の信号をそれぞれ判別するための判別情報が、NGHフレームであると解釈される場合、T2フレームであるとの解釈に変更し、前記判別情報からT2フレームであると解釈される場合、FEFであるとの解釈に変更し、
変更された解釈に基づき、前記T2フレームであることを示す場合、前記復調部による復調を継続し、前記FEFであることを示す場合、前記復調部による復調を停止させる
ステップを含む処理をコンピュータに実行させるプログラム。
【発明の詳細な説明】
【技術分野】
【０００１】
本技術は信号処理装置、信号処理方法、並びにプログラムに関する。詳しくは、多重されて送信されてくる異なる放送信号から、所望の放送信号を選択的に処理できる信号処理装置、信号処理方法、並びにプログラムに関する。
【背景技術】
【０００２】
近年、デジタル信号を伝送する方式として、直交周波数分割多重（OFDM：Orthogonal Frequency Division Multiplexing）方式と呼ばれる変調方式が用いられている。このOFDM方式は、伝送帯域内に多数の直交するサブキャリアを用意し、それぞれのサブキャリアの振幅及び位相にデータを割り当て、PSK（Phase Shift Keying）やQAM（Quadrature Amplitude Modulation）によりデジタル変調する方式である。
【０００３】
OFDM方式は、マルチパスの妨害の影響を強く受ける地上波デジタル放送に適用されることが多い。このようなOFDM方式を採用した地上波デジタル放送としては、例えば、DVB-T（Digital Video Broadcasting-Terrestrial）やISDB-T（Integrated Services Digital Broadcasting-Terrestrial）等の規格がある。
【０００４】
ところで、ETSI(European Telecommunication Standard Institute：欧州電気通信標準化機構)により、次世代の地上デジタル放送の規格としてDVB(Digital Video Broadcasting)-T.2が制定中である（非特許文献１参照）。
【先行技術文献】
【非特許文献】
【０００５】
【非特許文献１】DVB BlueBook A122 Rev.1，Frame structure channel coding and modulation for a second generation digital terrestrial television broadcasting system (DVB-T2) 平成２０年９月１日、DVBのホームページ、［平成２３年３月３日検索］、インターネット＜URL：http://www.dvb.org/technology/standards/＞
【発明の概要】
【発明が解決しようとする課題】
【０００６】
ＤＶＢ―Ｔ２の規格では、T2-frameと称されるフレームが送信されるが、そのT2-frameの間に、ＦＥＦ(Future Extension Frame)と称されるフレームが時間方向に多重化されて送信されることが制定されている。
【０００７】
受信装置側では、受信され、処理対象とされたフレームがT2-frameであるのか、ＦＥＦであるのかを判断し、対応する処理を実行する必要がある。T2-frameを専用に処理する処理部とＦＥＦを専用に処理する処理部を、それぞれ独自に開発し、製品化するのは、コスト高となる。また、そのような２つの処理部を備える装置においては、回路規模が大きくなり、消費電力が大きくなる。
【０００８】
本技術は、このような状況に鑑みてなされたものであり、異なるフレームが多重化された信号を、共通して処理できるようにするものである。
【課題を解決するための手段】
【０００９】
本技術の一側面の信号処理装置は、複数の信号が多重化されている多重化信号から、プリアンブル信号を検出する検出部と、前記多重化信号から所定の信号を復調する復調部と、前記検出部により検出された前記プリアンプル信号に含まれる前記複数の信号をそれぞれ判別するための判別情報が、NGHフレームであると解釈される場合、T2フレームであるとの解釈に変更し、前記判別情報からT2フレームであると解釈される場合、FEFであるとの解釈に変更する変更部と、前記変更部により変更された解釈に基づき、前記T2フレームであることを示す場合、前記復調部による復調を継続し、前記FEFであることを示す場合、前記復調部による復調を停止させる制御部とを備える。
【００１１】
T2フレームを処理するモードか、NGHフレームを処理するモードかのどちらかが設定され、前記T2フレームを処理するモードである場合、前記変更部による解釈の変更処理は行われず、前記NGHフレームを処理するモードである場合、前記変更部による解釈の変更処理は行われるようにすることができる。
前記T2フレームを処理するモードは、受信状態が良い場合に設定され、前記NGHフレームを処理するモードは、受信状態が悪い場合に設定されるようにすることができる。
【００１２】
本技術の一側面の信号処理方法またはプログラムは、複数の信号が多重化されている多重化信号から、プリアンブル信号を検出し、前記多重化信号から所定の信号を復調し、検出された前記プリアンプル信号に含まれる前記複数の信号をそれぞれ判別するための判別情報が、NGHフレームであると解釈される場合、T2フレームであるとの解釈に変更し、前記判別情報からT2フレームであると解釈される場合、FEFであるとの解釈に変更し、変更された解釈に基づき、前記T2フレームであることを示す場合、前記復調部による復調を継続し、前記FEFであることを示す場合、前記復調部による復調を停止させるステップを含む。
【００１３】
本技術の一側面の信号処理装置、信号処理方法、およびプログラムにおいては、複数の信号が多重化されている多重化信号から、プリアンブル信号が検出され、多重化信号から所定の信号が復調され、検出されたプリアンプル信号に含まれる複数の信号をそれぞれ判別するための判別情報が、NGHフレームであると解釈される場合、T2フレームであるとの解釈に変更され、判別情報からT2フレームであると解釈される場合、FEFであるとの解釈に変更され、変更された解釈に基づき、T2フレームであることを示す場合、復調が継続され、FEFであることを示す場合、復調が停止される。
【発明の効果】
【００１４】
本技術の一側面によれば、異なるフレームが多重化された信号のうちの所望な信号を、適切に処理できる。
【図面の簡単な説明】
【００１５】
【図１】受信装置の一実施の形態の構成を示す図である。
【図２】送受信される信号について説明するための図である。
【図３】プリアンブル信号について説明するための図である。
【図４】プリアンブル信号から読み取れるパターンについて説明するための図である。
【図５】受信装置の動作について説明するためのフローチャートである。
【図６】送受信される信号について説明するための図である。
【図７】プリアンブル信号について説明するための図である。
【図８】受信装置の他の実施の形態の構成を示す図である。
【図９】受信装置の動作について説明するためのフローチャートである。
【図１０】解釈の変更について説明するための図である。
【図１１】受信装置の動作について説明するためのフローチャートである。
【図１２】記録媒体について説明するための図である。
【発明を実施するための形態】
【００１６】
以下に、本技術の実施の形態について図面を参照して説明する。
【００１７】
［受信装置の構成について］
本実施の形態は、多重化された信号を処理する信号処理装置に適用することができるため、ここでは、信号処理装置としての受信装置を例にあげて説明を行う。図１は、OFDM（直交周波数分割多重（OFDM：Orthogonal Frequency Division Multiplexing））信号を受信する受信装置の一実施の形態の構成を示す図である。また、図１に示した受信装置１０は、DVB-T（Digital Video Broadcasting-Terrestrial）２方式の放送信号を受信し、処理する装置である。
【００１８】
図１に示した受信装置１０は、チューナ１１、BPF（バンドパスフィルタ）１２、A／D(Analog/Digital)変換部１３、直交復調部１４、Ｐ１処理部１５、フレーム同期部１６、シンボル同期部１７、ＦＦＴ（Fast Fourier Transform）部１８、等化部１９、伝送路推定部２０、および誤り訂正部２１を含む構成とされている。
【００１９】
受信装置１０に接続されているアンテナ（不図示）は、放送局の送信装置から送信（放送）されてくるOFDM信号の放送波を受信し、その放送波を、RF(Radio Frequency)信号に変換して、チューナ１１に供給する。チューナ１１は、アンテナからのRF信号から、所定の周波数帯域の信号を抽出し、IF(Intermediate Frequency)信号に周波数変換して、BPF１２に供給する。
【００２０】
BPF１２は、チューナ１１からのIF信号をフィルタリングし、A/D変換部１３に供給する。A/D変換部１３は、BPF１２からのIF信号をA/D変換し、その結果得られるディジタル信号のIF信号を、直交復調部１４に供給する。直交復調部１４は、所定の周波数（キャリア周波数）のキャリアを用いて、A/D変換部１３からのIF信号を直交復調し、その結果得られるベースバンドのOFDM信号を出力する。ここで、直交復調部１４が出力するOFDM信号は、ＦＦＴ演算がされる前（送信装置側で、IQコンスタレーション上の伝送シンボルがIFFT演算された直後）の時間領域の信号であり、以下、OFDM時間領域信号ともいう。
【００２１】
OFDM時間領域信号は、実軸成分（I(In Phase)成分）と虚軸成分（Q(Quadrature Phase)成分）とを含む、複素数で表される複素信号である。OFDM時間領域信号は、直交復調部１４からＰ１処理部１５とＦＦＴ部１８に供給される。なお、オフセットを補正する部を設け、直交復調部１４からのOFDM時間領域信号を対象として、A／D変換部１３でのサンプリングオフセット（サンプリングのタイミングのずれ）の補正や、直交復調部１４のキャリアの周波数のオフセット（送信装置で用いられているキャリアの周波数とのずれ）の補正を行う構成としても良い。
【００２２】
Ｐ１処理部１５は、T2-frame（以下、Ｔ２フレームと記述する）に含まれるプリアンブル信号のＰ１を、OFDM時間領域信号から検出し、Ｐ１の位置情報を算出する。フレーム同期部１６には、Ｐ１処理部１５により処理されたＳ１やＳ２の情報と、誤り訂正部２１からのＰ２の情報が供給される。フレーム同期部１６は、供給された情報から、処理対象とされるフレームがT2-frameであるのか、ＦＥＦ(Future Extension Frame)であるのかを判別し、復調処理を継続するか否かを表す復調停止フラグを発行する。なお、Ｔ２フレーム、ＦＥＦ、Ｐ１、Ｐ２、Ｓ１、Ｓ２については、図２を参照して後述する。
【００２３】
シンボル同期部１７には、Ｐ１処理部１５からのＰ１の位置情報と、フレーム同期部１６からの復調停止フラグが供給される。シンボル同期部１７は、復調停止フラグにより復調が停止されているとき以外、すなわち復調を行う場合、Ｐ１の検出位置からＰ２の有効シンボルの先頭を知り、ＦＦＴの演算の開始のタイミングを示すＦＦＴ Window triggerを算出する。
【００２４】
ＦＦＴ部１８は、シンボル同期部１７から供給されるＦＦＴ Window triggerに従って、直交復調部１４から供給されるOFDM時間領域信号のＦＦＴ演算を行う。OFDM時間領域信号のＦＦＴ演算により、サブキャリアで送信されてきたデータ、すなわち、IQコンスタレーション上の伝送シンボルを表すOFDM信号が得られる。ここで、OFDM時間領域信号のＦＦＴ演算により得られるOFDM信号は、周波数領域の信号であり、以下、OFDM周波数領域信号ともいう。
【００２５】
ＦＦＴ部１８は、ＦＦＴ演算によって得られたOFDM周波数領域信号を、等化部１９と伝送路推定部２０に供給する。伝送路推定部２０は、ＦＦＴ部１８からのOFDM周波数領域信号において、所定の位置に配置されたパイロット信号を用いて、OFDM信号の各サブキャリア（伝送シンボル）に対する伝送路特性を推定する。そして、伝送路推定部２０は、その伝送路特性の推定値である伝送路特性データを、等化部１９に供給する。
【００２６】
等化部１９は、ＦＦＴ部１８からのOFDM周波数領域信号を対象とし、OFDM信号のサブキャリアが伝送路で受けた振幅と位相の歪みを補正する歪み補正を、伝送路推定部２０からの伝送路特性データを用いて行いて行う。例えば、OFDM周波数領域信号を、伝送路特性データで除算するといった処理を行うことで、OFDM周波数領域信号の歪み補正を行う。そして、等化部１９は、歪み補正後のOFDM周波数領域信号を、誤り訂正部２１に供給する。
【００２７】
誤り訂正部２１は、等化部１９からのOFDM周波数領域信号を対象として、必要な誤り訂正処理、すなわち、例えば、デインターリーブや、デパンクチャ(de-punctured)、ビタビ復号、拡散信号除去、LDPC(Low Density Parity Check)復号、RS（リードソロモン）復号を行い、その結果得られる復号データを図示していない後段に出力する。
【００２８】
このような構成を有する受信装置１０においては、フレーム同期部１６が、復調を継続するか、または停止するといった制御を行うためのフラグを発行する制御部としての役割を有する。また、フラグを発行するために、Ｐ１処理部１５から、処理対象とされている信号を判別するための判別情報（Ｓ１やＳ２）の供給を受ける。また、フレーム同期部１６の制御に基づき復調の継続や停止を行う復調部は、シンボル同期部１７、ＦＦＴ部１８、等化部１９、伝送度推定部２０、および誤り訂正部２１から構成されている。
【００２９】
［フレームについて］
次に、受信装置１０で受信され、処理されるフレーム、換言すれば、送信装置側で生成され、送信される信号について図２を参照して説明する。DVB-T2においては、Ｔ２フレームと称される伝送フレーム単位にデータが伝送されるようになされている。また、DVB-T2においては、そのＴ２フレームに、Ｔ２フレームとは別の異なる構造を有するＦＥＦと呼ばれる信号が時間的に多重化されて送信され、受信される。
【００３０】
DVB‐T2においては、図２に示されるように、Ｔ２フレーム（図中、T2-frame）とＦＥＦとが多重化されて送信可能になされている。すなわち、ＦＥＦは、複数のＴ２フレームでなる一定間隔(FEF interval)毎に、一定の長さ(FEF length)で、Ｔ２フレームに多重化されて送信され、受信される。
【００３１】
Ｔ２フレームとＦＥＦは、Ｐ１を有している。Ｔ２フレームの場合、Ｐ２も有し、Ｐ１はＰ２とともに、それぞれプリアンブル(preamble)信号とされ、そのプリアンブル信号には、OFDM信号の復調等の処理に必要な情報が含まれる。
【００３２】
Ｐ１には、そのフレームがＴ２フレームであるのか、ＦＥＦであるのかを判別するための判別情報がシグナリング(Signaling)されている。したがって、Ｔ２フレームを受信する受信装置、ＦＥＦを受信する受信装置は、Ｐ１に含まれる情報を取得することによって、Ｔ２フレームおよびＦＥＦを取り出して復調することができる。
【００３３】
また、Ｐ１には、そのフレームがＴ２フレームの場合、さらに、Ｐ１以外のシンボルのＦＦＴ演算を行うときのＦＦＴサイズ(１回のＦＦＴ演算の対象とするサンプル（シンボル）の数)等の復調処理に必要な情報がシグナリングされている。すなわち、そのフレームがＴ２フレームの場合、Ｐ１は、Ｐ２の復調に必要な伝送方式やＦＦＴサイズ等を含むので、Ｐ２を復調するには、Ｐ１を復調する必要がある。
【００３４】
Ｔ２フレームは、さらに、Ｐ１のシンボルの後に続いて、順にＰ２のシンボル、Normalと称されるシンボル、およびFC（Flame Closing）と称されるシンボルを有している。
【００３５】
図３を参照し、Ｐ１に含まれるＳ1とＳ２について説明する。Ｐ１は、７ビットで構成される。そしてＰ１は、Ｓ１とＳ２から構成され、Ｓ１は、３ビット、Ｓ２は、４ビットで構成される。Ｓ１は、３ビットで構成されるため、取り得る値としては、“０００”、“００１”、“０１０”、“０１１”、“１００”、“１０１”、“１１０”、および“１１１”がある。
【００３６】
Ｓ１が“０００”である場合、そのフレームは、T2 SISO（Single Input Single Output）であり、Ｔ２フレームであることを示している。Ｓ１が“００１”である場合、そのフレームは、T2 MISO（Multiple Input Single Output）であり、Ｔ２フレームであることを示している。Ｓ１が、“０１０”、“０１１”、“１００”、“１０１”、“１１０”、または“１１１”である場合、これらの値は、Reserved（予約）されているため、用途が未確定な値である。Ｓ１がこれらの値の場合、少なくともＴ２フレームではないことは受信装置側で認識できる。
【００３７】
例えば、図２に示したようなＴ２フレームとＦＥＦが多重化されている信号を受信する可能性がある場合、Ｐ１に含まれるＳ１が“０００”または“００１”であるときには、Ｔ２フレームであることがわかり、それ以外の値であるときには、ＦＥＦであることが、受信装置側ではＳ１を解釈することでわかる。
【００３８】
Ｐ１に含まれるＳ２は、４ビットで構成される。４ビットのうち、ＬＳＢ（Least Significant Bit）以外の３ビットは、FFT SIZE を表す値が記載されるため図３においては×で示している。Ｓ２のＬＳＢが“０”の場合、その受信している信号は、“Not Mixed”であることを示している。“Not Mixed”とは、Ｔ２フレームだけの信号である、またはＦＥＦだけの信号である場合であり、異なるフレームは多重化されていない信号であることを示している。
【００３９】
Ｓ２のＬＳＢが“１”の場合、その受信している信号は、“Mixed”であることを示している。“Mixed”とは、Ｔ２フレームとＦＥＦといった異なるフレームが多重化されている信号であることを示している。
【００４０】
このような情報が、Ｓ１とＳ２にそれぞれ含まれている。よって、Ｓ１とＳ２の情報の組み合わせには、図４に示すようなパターンがあり、それぞれのパターンにより受信されている信号がどのような信号（フレーム）であるのかが特定できる。
【００４１】
パターンａは、Ｓ１が“０００”または“００１”であるために、受信された信号は、Ｔ２フレームであり、かつＳ２が“×××０”であるために、受信されている信号には異なるフレームは含まれない（Not Mixed）ことがわかるパターンである。パターンａの場合、受信される信号は、Ｔ２フレームだけが含まれる信号（Pure T2）であり、受信装置１０としては、パターンａに適した処理を行う。
【００４２】
パターンｂは、Ｓ１が“０００”または“００１”であるために、受信された信号は、Ｔ２フレームであり、かつＳ２が“×××１”であるために、受信されている信号には異なるフレームが含まれる（Mixed）ことがわかるパターンである。またこのような状況は、処理対象とされているフレームが、Ｔ２フレームであり、そのＴ２フレームに含まれているＰ１が処理されていることもわかる状況である。このようなパターンｂの場合、受信される信号は、Ｔ２フレームとＦＥＦフレームが含まれる信号（ＦＥＦがあるＴ２）であり、受信装置１０としては、パターンｂに適した処理を行う。
【００４３】
パターンｃは、Ｓ１が“０００”、“００１”以外であるために、受信された信号は、Ｔ２フレーム以外（Not T2）であり、かつＳ２が“×××０”であるために、受信されている信号には異なるフレームは含まれない（Not Mixed）ことがわかるパターンである。パターンｃの場合、受信される信号は、ＦＥＦだけが含まれる信号（Not T2）であるので、受信装置１０としては、パターンｃに適した処理を行う。
【００４４】
パターンｄは、Ｓ１が“０００”、“００１”以外であるために、受信された信号は、Ｔ２フレーム以外（Not T2）であり、かつＳ２が“×××１”であるために、受信されている信号には異なるフレームが含まれる（Mixed）ことがわかる状況である。またこのような状況は、処理対象とされているフレームが、ＦＥＦであり、そのＦＥＦに含まれているＰ１が処理されていることもわかる状況である。このようなパターンｄの場合、受信される信号は、Ｔ２フレームとＦＥＦフレームが含まれる信号（ＦＥＦがあるＴ２）であるので、受信装置１０としては、パターンｄに適した処理を行う。
【００４５】
このように、Ｔ２フレームとＦＥＦに含まれるプリアンブル信号のＰ１を解読することで、受信信号の特徴（パターンａ乃至ｄ）を知ることができる。さらに、Ｔ２フレームには、Ｐ２と称されるプリアンブル信号が含まれる。このＰ２には、図２に示すようなFEF_LENGTHやFEF_INTERVALといったＦＥＦ区間をより正確に示した情報や、FEF_TYPEという関連情報が含まれている。また、Ｐ２にはＴ２フレームの復調処理に必要な情報がシグナリングされている。
【００４６】
Ｔ２フレームを受信する受信装置では、Ｐ１,Ｐ２に含まれるＦＥＦの情報を取得する事によって、Ｔ２フレームを抽出して復調することができ、ＦＥＦからの影響を排除して復調性能を向上することが出来るように構成されている。
【００４７】
［受信装置の動作について］
図２に示したような信号を受信し、処理する受信装置としては、Ｔ２フレームのみを処理する装置、ＦＥＦのみを処理する装置、およびＴ２フレームとＦＥＦを処理する装置が考えられる。図１に示した受信装置１０が、Ｔ２フレームのみを処理する受信装置の構成である場合、図５のフローチャートに基づく処理が行われる。図５のフローチャートを参照し、受信装置１０の処理、特に、Ｔ２フレームの復調に係わる処理について説明する。
【００４８】
アンテナにより受信され、チューナ１１、ＢＰＦ１２のそれぞれの処理を経て、Ａ／Ｄ変換部１３に供給された信号は、デジタル信号に変換され、直交復調部１４に供給される。そして、直交復調部１４に供給されたデジタル信号は、OFDM時間領域信号にされ、Ｐ１処理部１５とＦＦＴ部１８に供給される。
【００４９】
ステップＳ１１において、Ｐ１処理部１５は、OFDM時間領域信号に含まれるＰ１を検出する。さらに、Ｐ１処理部１５は、Ｐ１を検出した場合、Ｐ１の位置情報をシンボル同期部１７に出力し、Ｓ１とＳ２のシグナリングを復号し、フレーム同期部１６に供給する。ステップＳ１２において、フレーム同期部１６は、供給されたＳ１とＳ２から処理対象とされているOFDM時間領域信号（フレーム）が、Ｔ２フレームであるか否かを判断する。
【００５０】
ステップＳ１２において、Ｔ２フレームであると判断された場合、ステップＳ１３に処理が進められる。ステップＳ１３において、フレーム同期部１６は、復調停止フラグを立てない。復調停止フラグが立てられないことで、ステップＳ１４において、復調処理が継続される。すなわち、シンボル同期部１７は、Ｐ１検出位置からＰ２の有効シンボルの先頭を知ることができ、ＦＦＴ演算開始タイミングを示すＦＦＴ Window triggerを算出する。そして、ＦＦＴ部１８が、そのＦＦＴ Window triggerに基づいてＦＦＴを実行する。以下、ＦＦＴ部１８以降の後段の処理も順次継続して行われ、Ｔ２フレームに対する復調処理が継続して行われる。
【００５１】
一方、ステップＳ１２において、Ｔ２フレームではないと判断された場合、ステップＳ１５に処理が進められる。ステップＳ１５において、フレーム同期部１６は、復調停止フラグを立てる。復調停止フラグが立てられることで、ステップＳ１６において、復調処理が停止される。すなわち、ＦＥＦが処理されているときには、復調停止フラグが立てられ、復調処理が停止されることになる。
【００５２】
シンボル同期部１７は、ＦＦＴ演算開始タイミングを示すＦＦＴ Window triggerを算出するが、フレーム同期部１６からの復調停止フラグが立てられているときには、その算出を停止する。シンボル同期部１７が、ＦＦＴ Window triggerを算出しないことで、ＦＦＴ部１８以降の後段の処理も停止される。
【００５３】
このように、Ｔ２フレームを処理する受信装置１０は、ＦＥＦが受信される区間では復調の処理が停止されるように構成されている。フレーム同期部１６においては、Ｓ１とＳ２の情報から、図４を参照して説明したパターンａ乃至ｄのいずれのパターンであるかを判断することができる。このことを利用し、例えば、ステップＳ１２において、パターンａ乃至ｄのいずれのパターンであるかを判断し、その判断に基づいて、ステップＳ１２以降の処理が行われるようにしても良い。
【００５４】
例えば、パターンｂまたはパターンｄであると判断されるときには、Ｔ２フレームとＦＥＦが受信されある可能性があるため、パターンｂまたはパターンｄであると判断されるときだけ、Ｔ２フレームであるのか、またはＦＥＦであるのかを判断する処理、すなわち、上記したステップＳ１２の処理が行われるようにしても良い。
【００５５】
また例えば、パターンａであると判断されるときには、Ｔ２フレームだけしか受信されないことがわかるので、復調停止フラグを立てない状態を維持し、復調が継続され、パターンｃであると判断されるときには、ＦＥＦだけしか受信されないことがわかるので、復調停止フラグを立てた状態を維持し、復調が停止された状態が継続されるようにする処理の流れにしても良い。
【００５６】
また、図５に示したフローチャートに基づき処理が行われる場合、ステップＳ１２においてＴ２フレームであると判断されると、ステップＳ１４において、復調の処理が継続される。復調の処理が継続されることで、誤り訂正部２１によりＰ２が復調され、その復調されたＰ２に書き込まれていた情報が、フレーム同期部１６に供給されることになる。このＰ２に書き込まれていた情報とは、例えば、FEF_LENGTHやFEF_INTERVALである。FEF_LENGTHやFEF_INTERVALといった情報が取得できることで、ＦＥＦ区間を正確に把握することができるようになる。
【００５７】
フレーム同期部１６がＦＥＦ区間を正確に把握することで、復調停止フラグを立てている区間を正確に把握することができることになり、ＦＥＦ区間における復調の停止を正確に実行することが可能となる。ＦＥＦ区間を正確に把握し、その区間内は復調を停止することで、Ｔ２フレームの復調に対するＦＥＦ区間の影響を排除することができる。これにより、Ｔ２フレームの復調性能を向上させることができる。
【００５８】
［DVB-NGHについて］
上記したＦＥＦは、図２を参照して説明したようにＴ２フレームとＦＥＦとが多重化されて送信可能になされている。ところで、DVB-T2とは別の規格として、DVB-NGHが規格策定中である。このDVB-NGH規格では、ＤＶＢ-T2に準拠した互換性のある方式が検討されている。そして、DVB-NGH規格におけるフレーム（以下、適宜、NGHフレームと記述する）を、ＦＥＦを用いて送信することが提案されている。
【００５９】
図６Ａは、DVB-T2規格のＦＥＦの部分を用いて、NGHフレームを送信するときの送信例を示している。図６Ａに示した例では、NGHフレームの後に、Ｔ２フレームが３フレーム送信され、その後、NGHフレームが送信され、その後、Ｔ２フレームが３フレーム送信されといったように、時間的にNGHフレームとＴ２フレームが多重化されて送信される例を示している。
【００６０】
図６Ｂは、DVB-T2規格のＦＥＦの部分を用いて、NGHフレームを送信するときの送信例であるが、NGHフレームが単独で送信される場合を示している。図６Ｂに示した例では、NGHフレームが連続的に送信される例である。
【００６１】
このように、NGHフレームは、Ｔ２フレームと多重化されて送信される可能性もあるし、NGHフレームのみが単独で送信される可能性もある。
【００６２】
ここで、参考のために再度図２を参照する。図２において、Ｔ２フレームは、プリアンブル信号としてＰ１とＰ２を含んでいる。一方、ＦＥＦは、プリアンブル信号として、Ｐ１は含むが、Ｐ２は含んでいない。このように信号の構成が異なる場合、Ｔ２フレームを処理するための処理部（Ｔ２処理部とする）とＦＥＦを処理するための処理部（ＦＥＦ処理部とする）は、それぞれ処理する信号に適した設計となるように別々に設計され、それぞれの装置に備えられる。よって、例えば、Ｔ２フレームとＦＥＦを選択的に処理できる装置の場合、Ｔ２処理部とＦＥＦ処理部の両方を備える構成とされる。
【００６３】
このことから、NGHフレームをＦＥＦの代わりに送信する場合、以下のようなことになると想定される。受信装置側としては、Ｔ２フレームのみを処理する装置、NGHフレームのみを処理する装置、Ｔ２フレームとNGHフレームとを選択的に処理する装置が考えられる。受信装置が、Ｔ２フレームのみを処理する装置である場合、Ｔ２フレームを処理するＴ２処理部を有する。同じく、受信装置が、NGHフレームのみを処理する装置である場合、NGHフレームを処理する処理部（NGH処理部とする）を有する。受信装置が、Ｔ２フレームとNGHフレームを選択的に処理する装置である場合、Ｔ２処理部とNGH処理部をそれぞれ備え、受信されたフレームに適した処理部で処理を行うことになる。
【００６４】
しかしながら、上記したように、DVB-NGH規格では、ＤＶＢ-T2に準拠した互換性のある方式であるため、DVB-NGHの信号の構成は、DVB-T2の構成をそのまま踏襲したものとされている。換言すれば、Ｔ２フレームの信号の構成と、NGHフレームの信号の構成は、同様な構成とされている。図７を参照して、このことについて説明する。Ｔ２フレームは、プリアンブル信号としてＰ１とＰ２を含んでいる。同様に、NGHフレームも、プリアンブル信号としてＰ１とＰ２を含んでいる。
【００６５】
Ｔ２フレームに含まれるＰ１とNGHフレームに含まれるＰ１は、それぞれ異なる値を含むが、記載される事項は同じとされている。すなわち、図３を参照して説明したように、Ｐ１には、Ｓ１とＳ２があり、Ｓ１には、自己がＴ２フレームであるか否かの情報が含まれ、Ｓ２には、受信される信号に異なるフレームが混合されているか否かの情報が含まれる。
【００６６】
同様に、Ｔ２フレームに含まれるＰ２とNGHフレームに含まれるＰ２は、それぞれ異なる値を含むが、記載される事項は同じとされている。Ｐ２には、ＦＥＦの場合、例えば、FEF_LENGTHやFEF_INTERVALといった情報が含まれるが、そのような情報に対応する情報が、NGHの場合にもＰ２には含まれている。
【００６７】
このように、Ｔ２フレームとNGHフレームとは、同一の構成とされているため、基本的に、Ｔ２フレームの同期再生/復調を行う処理と、NGHフレームの同期再生/復調を行う処理は、同様の処理である。このことを利用することで、T2処理部とNGH処理部の共有化をはかることが可能となる。T2処理部とNGH処理部を１つの処理部とすることができれば、Ｔ２フレームのみを処理する装置、NGHフレームのみを処理する装置、およびＴ２フレームとNGHフレームとを選択的に処理する装置の全てに対して適用できることになる。このことにより、回路規模が増大になることを防ぎ、消費電力を低減させることが可能となる。
【００６８】
T2処理部とNGH処理部を１つの処理部とするために、以下の実施の形態においては、Ｔ２フレームとNGHフレームを検出するための情報が記載されているＰ１のSignaling(S1,S2)の解釈を変更することで、受信装置においては、あたかもDVB-T2の信号を受信しているかのように処理が実行される。すなわち、Ｔ２フレームをＦＥＦ（NGH）として解釈し、ＦＥＦ（NGH）をＴ２フレームとして解釈の変更を行うことで、Ｔ２フレーム、NGHフレームのどちらに対しても対応可能とする。
【００６９】
［DVB-NGH規格のフレームを処理する受信装置の構成について］
図８は、このようなことを考慮した受信装置の一実施の形態の構成を示す図である。図８に示した受信装置１００は、図１に示した受信装置１０に解釈変更部１０１を追加した構成とされている。図１に示した受信装置１０と図８に示した受信装置１００において、同一の機能を有する部分には、同一の符号を付し、その説明は省略する。
【００７０】
解釈変更部１０１は、Ｐ１処理部１５とフレーム同期部１６の間に設けられる。解釈変更部１０１は、Ｐ１処理部１５により処理されたＰ１の情報を取得し、Ｔ２フレームであるのか、NGHフレームであるのかを判断する。そして、解釈変更部１０１は、Ｔ２フレームであると判断したときには、解釈の変更をせずに、Ｐ１の情報をフレーム同期部１６に供給し、NGHフレームであると判断したとき、後述するような解釈の変更を行い、変更後のＰ１の情報をフレーム同期部１６に供給する。フレーム同期部１６は、供給されたＰ１の情報を基に、復調の停止/開始/継続を行う。
【００７１】
次に、受信装置１００が、Ｔ２フレームを処理する装置であった場合、NGHフレームを処理する装置であった場合、またはＴ２フレームとNGHフレームを選択的に処理する装置であった場合のそれぞれにおける受信装置１００の動作について説明を加える。
【００７２】
［Ｔ２フレームを処理する受信装置の動作について］
受信装置１００が、Ｔ２フレームを処理する装置であった場合、その動作は、図５のフローチャートに基づいて行われる。Ｔ２フレームを処理する装置であった場合、Ｔ２フレームが受信されているときには、その受信されているＴ２フレームを復調し、NGHフレームが受信されているときには、復調を停止する。このような動作は、ＦＥＦが受信されているときには復調を停止する場合と同様であるため、上記した図５のフローチャートに基づいて処理が行われるようにすることができる。ここでは、図５のフローチャートに基づいて処理が行われるとし、既に説明した処理については適宜省略して説明する。
【００７３】
受信装置１００が、Ｔ２フレームを処理する装置であった場合、解釈変更部１０１は、Ｐ１処理部１５からＰ１の情報を、解釈を変更することなく、フレーム同期部１６に供給するように設定される。よって、フレーム同期部１６は、Ｔ２フレームが処理されているときには、ステップＳ１２（図５）において、Ｔ２フレームであると判断し、ステップＳ１３において、フラグを立てない処理を実行する。よってこの場合、ステップＳ１４において、復調が継続される。
【００７４】
一方で、フレーム同期部１６は、NGHフレームが処理されているときには、ステップＳ１２（図５）において、Ｔ２フレームではないと判断し、ステップＳ１５において、フラグを立てる。よってこの場合、ステップＳ１６において、復調が停止される。
【００７５】
このように、受信装置１００が、Ｔ２フレームを処理する装置であった場合、解釈変更部１０１が、供給されるＰ１の情報の解釈を変更することなく処理するで、Ｔ２フレームを適切に復調し、NGHフレームのときには復調を適切に停止するといった処理を行うことが可能となる。
【００７６】
［NGHフレームを処理する受信装置の動作について］
次に、受信装置１００が、NGHフレームを処理する装置であった場合、その動作は、図９のフローチャートに基づいて行われる。受信装置１００が、NGHフレームを処理する装置である場合、NGHフレームのときには復調し、Ｔ２フレームのときには復調を停止するといった処理が行われる。
【００７７】
ステップＳ３１において、Ｐ１処理部１５は、OFDM時間領域信号に含まれるＰ１を検出する。さらに、Ｐ１処理部１５は、Ｐ１を検出した場合、Ｐ１の位置情報をシンボル同期部１７に出力し、Ｓ１とＳ２のシグナリングを復号し、解釈変更部１０１に供給する。ステップＳ３２において、解釈変更部１０１は、解釈の変更を行う。
【００７８】
図１０に、解釈変更前後のフレームの一例を示す。図１０Ａの上段に示したフレームは、NGHフレームの後に、Ｔ２フレームが３フレーム続き、その後、NGHフレームがあり、その後、Ｔ２フレームが３フレーム続きといったようにフレームが続いている。このようなフレームが受信された場合、解釈変更部１０１は、NGHフレームであるという解釈を、Ｔ２フレームであるという解釈に変更し、Ｔ２フレームであるという解釈を、ＦＥＦであるという解釈に変更する。
【００７９】
このような変更が行われることで、解釈変更後のフレームは、図１０Ａの下段に示したようなフレームとして扱われることになる。図１０Ａの下段に示したフレームは、Ｔ２フレームの後に、ＦＥＦが３フレーム続き、その後、Ｔ２フレームがあり、その後、ＦＥＦが３フレーム続きといったようにフレームが続いている。
【００８０】
このような変更が行われる場合、図１０Ｂの上段に示したように、NGHフレームのみから構成される信号が受信された場合、図１０Ｂの下段に示すように、Ｔ２フレームのみから構成される信号として処理されることになる。以下に、さらに具体的に説明を加える。
【００８１】
解釈変更部１０１は、NGHフレームが処理対象とされているときには、そのNGHフレームがＴ２フレームと同等の処理が行われるようにＳ１およびＳ２の解釈を変更する。例えば、HGHフレームが処理されているときには、Ｓ1の値は“０００”または“００１”以外の値であるが、そのＳ１の値を、“０００”または“００１”の値、例えば、“０００”であると解釈を変更し、その変更後の解釈結果を後段のフレーム同期部１６に出力する。このように、解釈変更部１０１において、NGHフレームであるがＴ２フレームであるとの解釈に、解釈の変更が実行されることで、後段の処理においては、NGHフレームであるがＴ２フレームとして扱われることになる。
【００８２】
よってこのような場合、ステップＳ３３において、NGHフレームが処理対象とされているにも係わらず、解釈変更部１０１における解釈の変更が実行されているため、Ｔ２フレームであると判断され、ステップＳ３４に処理が進められる。ステップＳ３４において、フレーム同期部１６は、復調停止フラグを立てない。復調停止フラグが立てられないことで、ステップＳ３５において、復調処理が継続される。
【００８３】
すなわち、シンボル同期部１７は、Ｐ１検出位置からＰ２の有効シンボルの先頭を知ることができ、ＦＦＴ演算開始タイミングを示すＦＦＴ Window triggerを算出する。そして、ＦＦＴ部１８が、そのＦＦＴ Window triggerに基づいてＦＦＴを実行する。以下、ＦＦＴ部１８以降の後段の処理も順次継続して行われるため、擬似的にＴ２フレームとされたNGHフレームに対する復調処理が行われる。
【００８４】
一方で解釈変更部１０１は、Ｔ２フレームが処理対象とされているときには、そのＴ２フレームがＦＥＦフレームと同等の処理が行われるようにＳ１およびＳ２の解釈を変更する。例えば、Ｔ２フレームが処理されているときには、Ｓ１の値は“０００”または“００１”であるが、そのＳ１の値を、“０００”または“００１”以外の値、例えば、“０１０”であると解釈を変更し、その変更後の解釈結果を後段のフレーム同期部１６に出力する。このように、解釈変更部１０１において、Ｔ２フレームであるがＦＥＦであるとの解釈に、解釈の変更が実行されることで、後段の処理においては、Ｔ２フレームであるがＦＥＦフレームとして扱われることになる。
【００８５】
よってこのような場合、ステップＳ３３において、Ｔ２フレームが処理対象とされているにも係わらず、解釈変更部１０１における解釈の変更が実行されているため、Ｔ２フレームではないと判断され、ステップＳ３６に処理が進められる。ステップＳ３６において、フレーム同期部１６は、復調停止フラグを立てる。復調停止フラグが立てられることで、ステップＳ３７において、復調処理が停止される。
【００８６】
このように解釈変更部１０１において、Ｔ２フレームまたはNGHフレームに含まれるプリアンブル信号であるＰ１に含まれるＳ１、Ｓ２の解釈を変更することで、NGHフレームがＴ２フレームとして扱われるようにすることができ、NGHフレームをＴ２フレームとして復調することが可能となる。また、Ｔ２フレームをＦＥＦとして扱われるようにすることができ、Ｔ２フレームのときには復調を停止させることが可能となる。
【００８７】
［Ｔ２フレームとNGHフレームを処理する受信装置の動作について］
次に、受信装置１００が、Ｔ２フレームまたはNGHフレームを選択的に処理する装置であった場合、その動作は、図１１のフローチャートに基づいて行われる。ここでＴ２フレームまたはNGHフレームを選択的に処理することについて説明する。例えば、Ｔ２フレームで提供される番組と、NGHフレームで提供される番組が同一の番組である場合、いわゆるサイマル放送であった場合を考える。NGHフレームで提供される番組は、Ｔ２フレームで提供される番組よりも解像度が低くデータ処理も少ない放送番組であるとする。
【００８８】
また例えば、モバイル端末のように放送番組の受信状態が変化する可能性のある端末を考える。そのような端末が、Ｔ２フレームとNGHフレームの両方を処理できる端末であった場合、受信状態が良い時には、解像度の高いＴ２フレームを処理し、Ｔ２フレームで提供される番組をユーザに提供し、受信状態が悪い時には、解像度の低いNGHフレームを処理し、NGHフレームで提供される番組をユーザに提供するといったことが可能になる。このような端末においては、受信状態により、Ｔ２フレームを処理するか、NGHフレームを処理するかを決定し、その決定に基づいて処理を実行する。このような端末（装置）を、ここでは、Ｔ２フレームまたはNGHフレームを選択的に処理する装置であるとする。
【００８９】
このような定義の場合、例えば、家庭内に据え置きされるテレビジョン受像機は、比較的受信状態が良い状態で信号を受信し続けることができるため、Ｔ２フレームのみを処理する装置に該当する。このようなテレビジョン受像機が該当するＴ２フレームのみを処理する装置における処理については既に説明した。
【００９０】
一方で、携帯電話機などのモバイル端末は、比較的受信状態が悪い状態で信号を受信し続ける可能性が高いため、NGHフレームのみを処理する装置に該当する。このモバイル端末などが該当するNGHフレーム飲みを処理する装置における処理については、図９のフローチャート等を参照して既に説明した。
【００９１】
すなわち、本実施の形態における受信装置１００は、テレビジョン受像機やモバイル端末といった異なる装置であっても適用できるため、それらの端末毎にチップなどを設計したり、製造したりする必要がない。さらに、図１１のフローチャートを参照して説明するように、Ｔ２フレームまたはNGHフレームを選択的に処理する装置に対しても適用できる。
【００９２】
図１１のフローチャートの説明に戻り、ステップＳ５１において、Ｐ１が検出される。このステップＳ５１の処理は、ステップＳ３１（図９）と同様に行われるため、その説明は省略する。ステップＳ５２において、解釈変更部１０１は、設定はＴ２フレームモードであるか否かを判断する。ここで、Ｔ２フレームモードとは、Ｔ２フレームを処理するモードであるとする。また、NGHフレームを処理するモードは、NGHフレームモードとする。
【００９３】
このＴ２フレームモードとNGHフレームモードのどちらを設定するかは、例えば、信号の受信状態、ユーザからの指示等により行われる。信号の受信状態により設定されるようにした場合、信号の受信状態が良いか悪いかを判断し、受信状態が良い場合には、Ｔ２フレームモードに設定され、受信状態が悪い場合には、NGHフレームモードに設定される。
【００９４】
ステップＳ５２において、設定はＴ２フレームモードではないと判断された場合、ステップＳ５３に処理が進められる。ステップＳ５３において、解釈の変更が行われる。すなわち、ステップＳ５３に処理が進められるのは、NGHフレームモードに設定されている場合であるので、解釈変更部１０１において、Ｔ２フレームがＦＥＦとして扱われ、NGHフレームがＴ２フレームとして扱われるようにするための解釈の変更が行われる。このステップＳ５３以降の処理は、図９のフローチャートにおけるステップＳ３２以降の処理と同様に行われるため、その説明は省略する。
【００９５】
一方、ステップＳ５２において、設定はＴ２フレームモードであると判断された場合、ステップＳ５３の処理をスキップし、ステップＳ５４に処理が進められる。この場合、解釈変更部１０１における解釈の変更は行われないため、Ｔ２フレームはＴ２フレームとして扱われ、NGHフレームはNGHフレーム（ＦＥＦ）として扱われる。このステップＳ５４以降の処理は、図５のフローチャートにおけるステップＳ１２以降の処理と同様に行われるため、その説明は省略する。
【００９６】
このようにNGHフレームモードのときには、解釈変更部１０１において、Ｔ２フレームまたはNGHフレームに含まれるプリアンブル信号であるＰ１に含まれるＳ１、Ｓ２の解釈を変更することで、NGHフレームがＴ２フレームとして扱われるようにすることができる。よって、NGHフレームをＴ２フレームとして復調することが可能となる。また、Ｔ２フレームをＦＥＦとして扱われるようにすることができ、Ｔ２フレームのときには復調を停止させることが可能となる。
【００９７】
一方で、Ｔ２フレームモードのときには、Ｔ２フレームまたはNGHフレームに含まれるプリアンブル信号であるＰ１に含まれるＳ１、Ｓ２の解釈を変更することなく処理を行うことができるため、NGHフレームがＴ２フレームとして扱われるようにすることができる。よってＴ２フレームをＴ２フレームとして復調することが可能となる。また、NGHフレームをＦＥＦとして扱われるようにすることができ、NGHフレームのときには復調を停止させることが可能となる。
【００９８】
このように、本実施の形態によれば、DVB-T2の信号だけではなく、DVB-NGHの信号も受信し、処理できるようになる。また、DVB-T2の信号とDVB-NGHの信号をそれぞれ処理するための回路を、別々に設ける必要がなく、共用できるようにしたため、２つの異なる信号を処理するための回路の規模の増大を防ぐことが可能となる。
【００９９】
また、本実施の形態によれば、例えば、受信装置１００をチップで構成した場合、上記したように、テレビジョン受像機などの主に据え置きで用いられる装置、携帯電話機、ノート型のパーソナルコンピュータなどのモバイル装置など、異なる装置であっても、共通して用いることができるチップを提供することが可能となる。
【０１００】
なお、上記説明においては、アナログ信号を受信する例を説明してきたが、デジタル信号を受信する場合には、各装置は、AD変換器が除かれる構成となることが異なるだけであり、その他は同様に構成される。
【０１０１】
また、上述した実施の形態においては、Ｔ２フレームとＦＥＦが多重化された多重化信号が受信される例、またはＴ２フレームとNGHフレームが多重化された多重化信号が受信される例にあげて説明したが、これらの信号に本技術の適用範囲が限定されるわけではない。例えば、同一の構造を有する複数の信号が多重化された多重化信号を処理する場合であっても、本技術を適用することができる。また、多重化される信号の数も２つに限定されるわけではなく、複数であっても良い。
【０１０２】
［記録媒体について］
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０１０３】
図１２は、上述した一連の処理をプログラムにより実行するコンピュータのハードウエアの構成例を示すブロック図である。コンピュータにおいて、ＣＰＵ（Central Processing Unit）１００１、ＲＯＭ（Read Only Memory）１００２、ＲＡＭ（Random Access Memory）１００３は、バス１００４により相互に接続されている。バス１００４には、さらに、入出力インタフェース１００５が接続されている。入出力インタフェース１００５には、入力部１００６、出力部１００７、記憶部１００８、通信部１００９、及びドライブ１０１０が接続されている。
【０１０４】
入力部１００６は、キーボード、マウス、マイクロフォンなどよりなる。出力部１００７は、ディスプレイ、スピーカなどよりなる。記憶部１００８は、ハードディスクや不揮発性のメモリなどよりなる。通信部１００９は、ネットワークインタフェースなどよりなる。ドライブ１０１０は、磁気ディスク、光ディスク、光磁気ディスク、又は半導体メモリなどのリムーバブルメディア１０１１を駆動する。
【０１０５】
以上のように構成されるコンピュータでは、ＣＰＵ１００１が、例えば、記憶部１００８に記憶されているプログラムを、入出力インタフェース１００５及びバス１００４を介して、ＲＡＭ１００３にロードして実行することにより、上述した一連の処理が行われる。
【０１０６】
コンピュータ（ＣＰＵ１００１）が実行するプログラムは、例えば、パッケージメディア等としてのリムーバブルメディア１０１１に記録して提供することができる。また、プログラムは、ローカルエリアネットワーク、インターネット、デジタル衛星放送といった、有線または無線の伝送媒体を介して提供することができる。
【０１０７】
コンピュータでは、プログラムは、リムーバブルメディア１０１１をドライブ１０１０に装着することにより、入出力インタフェース１００５を介して、記憶部１００８にインストールすることができる。また、プログラムは、有線または無線の伝送媒体を介して、通信部１００９で受信し、記憶部１００８にインストールすることができる。その他、プログラムは、ＲＯＭ１００２や記憶部１００８に、あらかじめインストールしておくことができる。
【０１０８】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１０９】
また、本明細書において、システムとは、複数の装置により構成される装置全体を表すものである。
【０１１０】
なお、本技術の実施の形態は、上述した実施の形態に限定されるものではなく、本技術の要旨を逸脱しない範囲において種々の変更が可能である。
【０１１１】
なお、本技術は以下のような構成も取ることができる。
【０１１２】
（１）  複数の信号が多重化されている多重化信号から、プリアンブル信号を検出する検出部と、
前記多重化信号から所定の信号を復調する復調部と、
前記検出部により検出された前記プリアンプル信号に含まれる前記複数の信号をそれぞれ判別するための判別情報が、第１の信号であることを示す場合、前記復調部による復調を継続し、第２の信号であることを示す場合、前記復調部による復調を停止させる制御部
を備える信号処理装置。
【０１１３】
（２）  前記第２の信号を復調する設定の場合、
前記判別情報から第１の信号であると解釈される場合、第２の信号であるとの解釈に変更し、前記判別情報から第２の信号であると解釈される場合、第１の信号であるとの解釈に変更する変更部をさらに備え、
前記制御部は、前記変更部により変更された解釈に基づき、前記復調の継続または停止を制御する
前記（１）に記載の信号処理装置。
【０１１４】
（３）  前記第１の信号は、DVB-T2規格の信号であり、前記第２の信号は、DVB-NGH規格の信号である
前記（１）または前記（２）に記載の信号処理装置。
【符号の説明】
【０１１５】
１０  受信装置，  １１  チューナ，  １２  BPF，  １３  A／D変換部，  １４  直交復調部，  １５  Ｐ１処理部，  １６  フレーム同期部，  １７  シンボル同期部，  １８  ＦＦＴ部，  １９  等化部，  ２０  伝送路推定部，  ２１  誤り訂正部，  １００  受信装置，  １０１  解釈変更部
【図１】
0005712698.tif 000002
【図２】
0005712698.tif 000003
【図３】
0005712698.tif 000004
【図４】
0005712698.tif 000005
【図５】
0005712698.tif 000006
【図６】
0005712698.tif 000007
【図７】
0005712698.tif 000008
【図８】
0005712698.tif 000009
【図９】
0005712698.tif 000010
【図１０】
0005712698.tif 000011
【図１１】
0005712698.tif 000012
【図１２】
0005712698.tif 000013